(57)【特許請求の範囲】
【請求項１】
雌端子をコネクタハウジング内に並設した複数の雌端子収容室に収容するコネクタと、該コネクタにコネクタ嵌合することによって雄端子側コネクタハウジング内の雄端子と前記コネクタの前記雌端子とを接続する前記接続相手コネクタと、のコネクタ嵌合構造であって、
前記コネクタハウジングは、
前記複数の雌端子収容室の各雌端子収容室が前記雌端子のそれぞれに接続する前記雄端子を収容した前記接続相手コネクタとのコネクタ嵌合方向に向けて前記雌端子の外周を囲う壁を突出するように設けた突出囲い壁を有し、かつ、少なくとも１組以上の隣り合う前記雌端子収容室を前記突出囲い壁の基端で連結する壁に前記コネクタハウジングの内部を貫通して前記コネクタハウジングの外部に繋がる端子間貫通孔を形成し、
前記雄端子側コネクタハウジングは、
前記雄端子がコネクタ嵌合方向に突出するように保持する雄端子保持壁に前記コネクタハウジングを嵌入するための嵌入口を端部に形成するようにフード状に立設したフード状壁と、
前記コネクタとのコネクタ嵌合状態で、隣り合う前記雌端子収容室の前記突出囲い壁の間、かつ、該突出囲い壁の前記基端位置まで嵌め込まれるように、かつ、前記嵌入口の端縁面よりも内方奥側に壁上面が位置される壁高さで前記雄端子保持壁に立設されることによって隣り合う前記雄端子の間を仕切る仕切り壁と、
前記フード状壁の対向する内壁面のそれぞれに前記嵌入口からコネクタ嵌合方向に沿って内方に延びる延在端を前記雄端子保持壁の両端に延びるように形成した前記仕切り壁の両端に連結するように形成した一対のガイドリブと、
を有し、
前記コネクタハウジングは、
前記対向する内壁面のそれぞれに対峙する外壁面に前記突出囲い壁の前記基端からさらにコネクタ嵌合方向に沿って前記雌端子収容室を形成するために連続する壁の外形形状を前記突出囲い壁の外形形状に揃え、かつ、前記一対のガイドリブに嵌め合うようにコネクタ嵌合方向に沿って延びる一対のガイド溝を形成する
ことを特徴とするコネクタ嵌合構造。
【請求項２】
前記端子間貫通孔は、
孔内に侵入したリーク電流発生原因となる物質を自重によって前記コネクタハウジングの外部に排出する方向に沿って形成する
ことを特徴とする請求項１に記載のコネクタ嵌合構造。
【請求項３】
前記コネクタと前記接続相手コネクタとのコネクタ嵌合状態で、前記雄端子側コネクタハウジングの嵌入口側端面の周辺に前記コネクタハウジングの外壁面に突出部分がある場合、前記突出部分、または、前記突出部分周辺の前記雄端子側コネクタハウジングの部分の少なくともいずれか一方にリーク電流発生原因となる物質を自重によって排出する方向に誘導する誘導面を形成する
ことを特徴とする請求項１または２に記載のコネクタ嵌合構造。
【発明の詳細な説明】
【技術分野】
【０００１】
本発明は、雌端子をコネクタハウジング内に並設した複数の雌端子収容室に収容するコネクタと接続相手コネクタとのコネクタ嵌合構造に関する。
【背景技術】
【０００２】
従来、燃料ポンプなどの電源コネクタとして燃料の中に設置されるようなコネクタは、コネクタハウジング内に燃料が侵入しないように液密に構成されている。しかしながら、コネクタハウジング内への燃料の侵入を完全に抑えることは難しいため、燃料がコネクタハウジング内に侵入した場合でもリーク電流が発生し難い構成を適用している。
【０００３】
例えば、特許文献１には、ターミナル端子（雄端子）の根本に根本サポート部を設け、この根本サポート部の上端におけるターミナル端子（雄端子）との結合部に水滴を下方に流すサポート傾斜部を設けている燃料タンク用電気コネクタが記載されている。
【０００４】
また、特許文献２には、複数の端子収容室の各端子収容室が雌端子のそれぞれに接続する雄端子を収容した接続相手コネクタとのコネクタ嵌合方向に向けて雌端子の外周を囲う壁を突出するように設けたブロックを有し、ブロックの間に相手接続コネクタの仕切り壁が隙間をできるだけ小さくするように嵌め込まれることによって、雄雌端子周辺に燃料が侵入し難いようにしたコネクタの嵌合構造が記載されている。
【先行技術文献】
【特許文献】
【０００５】
【特許文献１】特開２００８−２４３５６９号公報
【特許文献２】特開２０１１−２２０１９１号公報
【発明の概要】
【発明が解決しようとする課題】
【０００６】
しかしながら、特許文献１および２に記載されたコネクタは、相手接続コネクタとコネクタ嵌合した状態で燃料が侵入した場合、端子間に侵入した燃料が留まり易く、その燃料がリーク電流の発生原因になるおそれがあり、リーク電流を確実に防止することができるとは言えなかった。
【０００７】
本発明は、上記に鑑みてなされたものであって、端子間にリーク電流の発生原因となる物質が侵入した場合であってもリーク電流の発生を確実に防止することができるコネクタ嵌合構造を提供することを目的とする。
【課題を解決するための手段】
【０００８】
上述した課題を解決し、目的を達成するために、本発明の請求項１に係るコネクタ嵌合構造は、雌端子をコネクタハウジング内に並設した複数の雌端子収容室に収容するコネクタと、該コネクタにコネクタ嵌合することによって雄端子側コネクタハウジング内の雄端子と前記コネクタの前記雌端子とを接続する前記接続相手コネクタと、のコネクタ嵌合構造であって、前記コネクタハウジングは、前記複数の雌端子収容室の各雌端子収容室が前記雌端子のそれぞれに接続する前記雄端子を収容した前記接続相手コネクタとのコネクタ嵌合方向に向けて前記雌端子の外周を囲う壁を突出するように設けた突出囲い壁を有し、かつ、少なくとも１組以上の隣り合う前記雌端子収容室を前記突出囲い壁の基端で連結する壁に前記コネクタハウジングの内部を貫通して前記コネクタハウジングの外部に繋がる端子間貫通孔を形成し、前記雄端子側コネクタハウジングは、前記雄端子がコネクタ嵌合方向に突出するように保持する雄端子保持壁に前記コネクタハウジングを嵌入するための嵌入口を端部に形成するようにフード状に立設したフード状壁と、前記コネクタとのコネクタ嵌合状態で、隣り合う前記雌端子収容室の前記突出囲い壁の間、かつ、該突出囲い壁の前記基端位置まで嵌め込まれるように、かつ、前記嵌入口の端縁面よりも内方奥側に壁上面が位置される壁高さで前記雄端子保持壁に立設されることによって隣り合う前記雄端子の間を仕切る仕切り壁と、前記フード状壁の対向する内壁面のそれぞれに前記嵌入口からコネクタ嵌合方向に沿って内方に延びる延在端を前記雄端子保持壁の両端に延びるように形成した前記仕切り壁の両端に連結するように形成した一対のガイドリブと、を有し、前記コネクタハウジングは、前記対向する内壁面のそれぞれに対峙する外壁面に前記突出囲い壁の前記基端からさらにコネクタ嵌合方向に沿って前記雌端子収容室を形成するために連続する壁の外形形状を前記突出囲い壁の外形形状に揃え、かつ、前記一対のガイドリブに嵌め合うようにコネクタ嵌合方向に沿って延びる一対のガイド溝を形成することを特徴とする。
【０００９】
また、本発明の請求項２に係るコネクタ嵌合構造は、上記の発明において、前記端子間貫通孔が孔内に侵入したリーク電流発生原因となる物質を自重によって前記コネクタハウジングの外部に排出する方向に沿って形成することを特徴とする。
【００１２】
また、本発明の請求項３に係るコネクタ嵌合構造は、上記の発明において、前記コネクタと前記接続相手コネクタとのコネクタ嵌合状態で、前記雄端子側コネクタハウジングの嵌入口側端面の周辺に前記コネクタハウジングの外壁面に突出部分がある場合、前記突出部分、または、前記突出部分周辺の前記雄端子側コネクタハウジングの部分の少なくともいずれか一方にリーク電流発生原因となる物質を自重によって排出する方向に誘導する誘導面を形成することを特徴とする。
【発明の効果】
【００１３】
本発明の請求項１に係るコネクタ嵌合構造は、前記雌端子の外周を囲うように前記突出囲い壁を形成しているので、前記突出囲い壁の突出した壁面が隣り合う前記雌端子の間の沿面距離を長くするようになっており、しかも、前記雌端子収容室の間を連結する前記壁に前記端子間貫通孔を形成することによって、隣り合う前記雌端子収容室を連結する前記壁の面積を小さくするとともに、前記端子間貫通孔を通ってリーク電流発生原因となる物質が前記コネクタハウジングの外部に排出されるようになっており、前記雌端子間に侵入したリーク電流発生原因となる物質が留まった状態になり難いようになっているので、端子間にリーク電流の発生原因となる物質が侵入した場合であってもリーク電流の発生を確実に防止することができる。
【００１４】
本発明の請求項２に係るコネクタ嵌合構造は、前記端子間貫通孔が孔内に侵入したリーク電流発生原因となる物質を自重によって前記コネクタハウジングの外部に排出する方向に沿って形成しているので、前記雌端子間に侵入したリーク電流発生原因となる物質を自重によって前記コネクタハウジングの外部に容易に排出することができる。
【００１５】
本発明の請求項１に係るコネクタ嵌合構造は、前記コネクタハウジングに隣り合う前記雌端子収容室の前記雌端子と前記雄端子とが接続する側の開口を前記雌端子の外周を囲う前記突出囲い壁によって形成し、しかも、前記雄端子側コネクタハウジングに隣り合う前記雌端子収容室の前記突出囲い壁の間、かつ、前記突出囲い壁の前記基端位置まで嵌め込まれるように隣り合う前記雄端子の間を仕切る前記仕切り壁を設けているので、前記突出囲い壁の突出した壁面、および、前記仕切り壁の壁面が隣り合う雄雌両端子の間の沿面距離を長くするようになっており、しかも、前記雌端子収容室の間を連結する前記壁に前記端子間貫通孔を形成することによって、隣り合う前記雌端子収容室を連結する前記壁の面積を小さくするとともに、前記端子間貫通孔を通ってリーク電流発生原因となる物質が前記コネクタハウジングの外部に排出されるようになっており、雄雌端子間に侵入したリーク電流発生原因となる物質が留まった状態になり難いようになっているので、端子間にリーク電流の発生原因となる物質が侵入した場合であってもリーク電流の発生を確実に防止することができる。
【００１６】
本発明の請求項１に係るコネクタ嵌合構造は、前記一対のガイド溝と前記一対のガイドリブとの嵌め合いによるガイド機能によって、前記コネクタハウジングと前記雄端子側コネクタハウジングとを正規の姿勢で嵌合することができ、しかも、前記一対のガイドリブと前記仕切り壁とを前記雄端子側コネクタハウジングの断面外形一端側から他端側まで連続的に設けるようになっているので、前記フード状壁を含めた前記雄端子側コネクタハウジング全体の強度を高めることができる。
【００１７】
本発明の請求項３に係るコネクタ嵌合構造は、前記コネクタと前記接続相手コネクタとのコネクタ嵌合状態で、前記雄端子側コネクタハウジングの嵌入口側端面の周辺に前記コネクタハウジングの外壁面に突出部分がある場合、前記突出部分、または、前記突出部分周辺の前記雄端子側コネクタハウジングの部分の少なくともいずれか一方にリーク電流発生原因となる物質を自重によって排出する方向に誘導する前記誘導面を形成しているので、前記突出部分にリーク電流発生原因となる物質が付着したままになることを防ぐことができる。
【図面の簡単な説明】
【００１８】
【図１】図１は、（ａ）が本発明の実施例に係るコネクタの雌端子をコネクタハウジングに挿入する前の状態を示した斜視図であり、（ｂ）が（ａ）に示したコネクタハウジングの正面図である。
【図２】図２は、図１に示したコネクタハウジングを斜め側方から視た図である。
【図３】図３は、（ａ）が本発明の実施例に係るコネクタ嵌合構造に用いる接続相手コネクタの斜視図であり、（ｂ）が（ａ）に示した接続相手コネクタの正面図である。
【図４】図４は、コネクタ嵌合したコネクタおよび接続相手コネクタの斜視図である。
【図５】図５は、図４に示したコネクタ嵌合したコネクタおよび接続相手コネクタのＡ−Ａ線断面図である。
【図６】図６は、コネクタを端子挿入口側から視た図である。
【図７】図７は、（ａ）が図６に示したコネクタのＡ―Ａ線断面図であり、（ｂ）が（ａ）に示したコネクタの雌端子収容室の雌端子が雄端子と接続する側の開口周辺の拡大図である。
【図８】図８は、（ａ）が図６に示したコネクタのＢ―Ｂ線断面図であり、（ｂ）が（ａ）に示したコネクタの雌端子収容室の雌端子が雄端子と接続する側の開口周辺の拡大図である。
【図９】図９は、正規嵌合方向以外の嵌合方向でコネクタ嵌合した場合のコネクタおよび接続相手コネクタの状態を示した図である。
【図１０】図１０は、（ａ）が変形例１のコネクタの雌端子をコネクタハウジングに挿入する前の状態を示した斜視図であり、（ｂ）が（ａ）に示したコネクタハウジングの正面図である。
【図１１】図１１は、（ａ）が変形例１のコネクタ嵌合構造に用いる接続相手コネクタの斜視図であり、（ｂ）が（ａ）に示した接続相手コネクタの正面図である。
【図１２】図１２は、コネクタと接続相手コネクタとのコネクタ嵌合状態の断面図である。
【発明を実施するための形態】
【００１９】
以下、図面を参照して、本発明に係るコネクタおよびコネクタ嵌合構造の好適な実施例を詳細に説明する。
【実施例】
【００２０】
図１は、（ａ）が本発明の実施例に係るコネクタ１０の雌端子１１をコネクタハウジング２０に挿入する前の状態を示した斜視図であり、（ｂ）が（ａ）に示したコネクタハウジング２０の正面図である。図２は、図１に示したコネクタハウジング２０を斜め側方から視た図である。図３は、（ａ）が本発明の実施例に係るコネクタ嵌合構造１に用いる接続相手コネクタ３０の斜視図であり、（ｂ）が（ａ）に示した接続相手コネクタ３０の正面図である。図４は、コネクタ嵌合したコネクタ１０および接続相手コネクタ３０の斜視図である。図５は、図４に示したコネクタ嵌合したコネクタ１０および接続相手コネクタ３０のＡ−Ａ線断面図である。図６は、コネクタ１０を端子挿入口側から視た図である。図７は、（ａ）が図６に示したコネクタ１０のＡ―Ａ線断面図であり、（ｂ）が（ａ）に示したコネクタ１０の雌端子収容室２１の雌端子１１が雄端子３１と接続する側の開口２２ａ周辺の拡大図である。図８は、（ａ）が図６に示したコネクタ１０のＢ―Ｂ線断面図であり、（ｂ）が（ａ）に示したコネクタ１０の雌端子収容室２１の雌端子１１が雄端子３１と接続する側の開口２２ａ周辺の拡大図である。図９は、正規嵌合方向以外の嵌合方向でコネクタ嵌合した場合のコネクタ１０および接続相手コネクタ３０の状態を示した図である。
本発明の実施例に係るコネクタ嵌合構造１は、例えば、不図示の燃料ポンプの電源接続コネクタに用いられ、不図示の燃料タンク内の燃料Ｆに浸漬した状態で使用されるものである。
【００２１】
まず、コネクタ１０について説明する。
コネクタ１０は、図１（ａ）に示すように、コネクタハウジング２０の各雌端子収容室２１に端子付き電線Ｗの雌端子１１を収容するようになっている。
【００２２】
コネクタハウジング２０は、絶縁性の合成樹脂からなり、全体的に略直方体形状になっている。
このコネクタハウジング２０は、４つの雌端子収容室２１の各雌端子収容室２１が雌端子１１のそれぞれに接続する雄端子３１を収容した接続相手コネクタ３０とのコネクタ嵌合方向Ｄ１に向けて雌端子１１の外周を囲う壁を突出するように設けた突出囲い壁２２を有し、かつ、少なくとも１組以上の隣り合う雌端子収容室２１を突出囲い壁２２の基端２２ｃで連結する壁２２ｄにコネクタハウジング１０の内部を貫通してコネクタハウジング１０の外部に繋がる端子間貫通孔２３を形成している。
【００２３】
また、コネクタハウジング１０は、接続相手コネクタ３０の後述する雄端子側コネクタハウジング４０にコネクタ嵌合位置で係合する弾性係合アーム２４と、作業者がコネクタハウジング２０をコネクタ嵌合方向に押圧操作するための操作部分となる押圧操作部２５と、を有する。
【００２４】
４つの雌端子収容室２１は、図１（ｂ）に示すように、縦横方向に並設している。
各雌端子収容室２１は、内部に設けた弾性係止アーム２１ａによって雌端子１１を所定位置に係止するようになっている。
【００２５】
突出囲い壁は、雌端子収容室の嵌合方向前端部を形成する壁であり、雌端子の外周を囲うように略角筒形状をなしている。
なお、突出囲い壁２２は、略角筒形状に限らず、雌端子１１の外周を囲うような形状であればその他の形状であっても構わない。例えば、雌端子１１が断面円形状である場合、突出囲い壁２２を略円筒形状にしてもよい。
【００２６】
この突出囲い壁２２は、嵌合方向前端面の開口２２ａから接続相手コネクタ３０の雄端子３１を挿入するようになっている。
【００２７】
端子間貫通孔２３は、コネクタハウジング２０の３カ所に形成している。
３つの端子間貫通孔２３のうち２つの端子間貫通孔２３は、図１中、横方向に並ぶ雌端子収容室２１の間に形成している。また、残りの１つの端子間貫通孔２３は、コネクタハウジング２０の略中央に形成している。
【００２８】
この端子間貫通孔２３は、孔内に侵入したリーク電流発生原因となる物質である燃料Ｆを自重によってコネクタハウジング２０の外部に排出する方向に沿って形成している。
この実施例では、コネクタ１０のコネクタ嵌合方向Ｄ１が鉛直方向であるため、端子間貫通孔２３は、コネクタハウジング２０を鉛直方向に貫通するように形成している。このような端子間貫通孔２３をコネクタハウジング２０に形成することによって、雌端子１１の間に侵入した燃料Ｆが、図５の矢印Ｒ１に示すように、端子間貫通孔２３を通って外部に排出される。
なお、この実施例では、端子間貫通孔２３をコネクタハウジング２０の３カ所に形成するものを例示したが、端子間貫通孔２３の数は、３つに限らず、少なくとも１組以上の隣り合う雌端子収容室２１を突出囲い壁２２の基端２２ｃで連結する壁２２ｄに形成すれば１つであってもよい。
【００２９】
弾性係合アーム２４は、コネクタハウジング２０の一側面に設けた弾性アーム２４ａと、弾性アーム２４ａ上に設けた係合突起２４ｂと、を有する。
この弾性係合アーム２４は、係合突起２４ｂが雄端子側コネクタハウジング４０の係合孔４０ｄに係合することによって、コネクタハウジング２０と雄端子側コネクタハウジング４０とをコネクタ嵌合位置でロックする。
【００３０】
押圧操作部２５は、コネクタ１０と接続相手コネクタ３０とのコネクタ嵌合状態で、雄端子側コネクタハウジング４０の嵌入口４０ａ側端面の周辺でコネクタハウジング２０の外壁面２０ａに突出するように設けている。
この押圧操作部２５は、突出部分に燃料Ｆを自重によって排出される方向に誘導する誘導面２５ｃを形成している。
【００３１】
より具体的には、押圧操作部２５は、コネクタハウジング２０の外壁面２０ａに連結する部分となる連結部２５ａと、作業者が押圧操作する部分となる操作部２５ｂと、を有し、連結部２５ａに誘導面２５ｃを形成している。
このような誘導面２５ｃをコネクタハウジング２０に形成することによって、コネクタ嵌合したコネクタ１０および接続相手コネクタ３０が不図示の燃料タンク内の燃料Ｆの減少により燃料Ｆの液面から一部が露出した場合であっても、図５の矢印Ｒ２に示すように、コネクタハウジング２０の外壁面２０ａに突出した押圧操作部２５に燃料Ｆが付着したままにならずに、誘導面２５ｃによって燃料Ｆを燃料タンクに誘導するようになっている。
【００３２】
また、コネクタハウジング２０は、後述するフード状壁４０ｃの対向する内壁面４０ｅ、４０ｅのそれぞれに対峙する外壁面２０ａに後述する一対のガイドリブ４３、４３に嵌め合うようにコネクタ嵌合方向に沿って延びる一対のガイド溝２６、２６を形成する。
なお、この実施例では、突出囲い壁２２の基端２２ｃからさらにコネクタ嵌合方向に沿って雌端子収容室２１を形成するために連続する壁２２ｄの外形形状を略角筒形状の突出囲い壁２２の外形形状に揃えることによって、各雌端子収容室２１の間にコネクタ嵌合方向に沿ったガイド溝２６を形成している。
【００３３】
このようなコネクタ１０は、隣り合う雌端子収容室２１の雌端子１１と雄端子３１とが接続する側の開口２２ａを雌端子１１の外周を囲う突出囲い壁２２によって形成しているので、突出囲い壁２２の突出した壁面が隣り合う雌端子１１の間の沿面距離を長くするようになっている。
【００３４】
また、隣り合う雌端子収容室２１を突出囲い壁２２の基端２２ｃで連結する壁２２ｄに端子間貫通孔２３を形成しているので、隣り合う雌端子収容室２１を連結する壁の面積を小さくするとともに、端子間貫通孔２３を通って燃料Ｆがコネクタハウジング２０の外部に排出されるようになっているので、雌端子１１間に侵入した燃料Ｆが留まった状態になり難いようになっている。
【００３５】
次に、接続相手コネクタ３０について説明する。
接続相手コネクタ３０は、コネクタ１０の４つの雌端子１１のそれぞれに接続する４つの雄端子３１と、コネクタハウジング２０に嵌合する雄端子側コネクタハウジング４０と、を有する。
【００３６】
雄端子側コネクタハウジング４０は、絶縁性の合成樹脂からなり、一面をコネクタ１０の嵌入口４０ａとする略直方体状の箱型をなしている。
【００３７】
この雄端子側コネクタハウジング４０は、コネクタ１０とのコネクタ嵌合状態で、隣り合う雌端子収容室２１の突出囲い壁２２の間、かつ、突出囲い壁２２の基端２２ｃ位置まで嵌め込まれるように隣り合う雄端子３１の間を仕切る仕切り壁４１を、雄端子３１がコネクタ嵌合方向に突出するように保持する雄端子保持壁４０ｂに立設している。
【００３８】
より具体的には、雄端子側コネクタハウジング４０は、コネクタハウジング２０を嵌入するための嵌入口４０ａを端部に形成するようにフード状に雄端子保持壁４０ｂに立設したフード状壁４０ｃを有する。
【００３９】
雄端子保持壁４０ｂは、コネクタハウジング２０の４つの雌端子収容室２１に収容した雌端子１１のそれぞれに対応した位置に各雄端子３１を保持するようになっている。
このため、４つの雄端子３１は、図３（ｂ）に示すように、縦横方向に並んで雄端子保持壁４０ｂに保持されるようになっている。
【００４０】
仕切り壁４１は、雄端子保持壁４０ｂの略中心を通る十字にクロスするように雄端子保持壁４０ｂに立設している。
【００４１】
また、雄端子側コネクタハウジング４０は、フード状壁４０ｃの対向する内壁面４０ｅ、４０ｅのそれぞれに嵌入口４０ａからコネクタ嵌合方向に沿って内方に延びる延在端を雄端子保持壁４０ｂの両端に延びるように形成した仕切り壁４１の両端に連結するように形成した一対のガイドリブ４３、４３を有する。
【００４２】
各ガイドリブ４３は、図３中、雄端子保持壁４０ｂの略中心を通るように横方向に雄端子保持壁４０ｂの一端から他端まで立設した仕切り壁４１のそれぞれの端部に連結している。
【００４３】
また、雄端子側コネクタハウジング４０は、コの字状の断面外形に沿うように内壁面４０ｅにガイドリブ４３、および、仕切り壁４１を連続して設けているので、フード状壁４０ｃの強度を高めるようになっている。
【００４４】
このようなコネクタ１０および接続相手コネクタ３０とのコネクタ嵌合構造１は、コネクタハウジング２０に隣り合う雌端子収容室２１の雌端子１１と雄端子３１とが接続する側の開口２２ａを雌端子の外周を囲う突出囲い壁２２によって形成し、しかも、雄端子側コネクタハウジング４０に隣り合う雌端子収容室２１の突出囲い壁２２の間、かつ、突出囲い壁２２の基端２２ｃ位置まで嵌め込まれるように隣り合う雄端子３１の間を仕切る仕切り壁４１を設けているので、図７（ｂ）および図８（ｂ）に示したラインＬのように、突出囲い壁２２の突出した壁面、および、仕切り壁４１の壁面が隣り合う雄雌両端子の間の沿面距離を長くするようになっている。
【００４５】
また、コネクタ１０と接続相手コネクタ３０とをコネクタ嵌合する場合、ガイド溝２６とガイドリブ４３との嵌め合わせによるコネクタ嵌合方向へのガイド機能によって、コネクタハウジング２０と雄端子側コネクタハウジング４０とを正規の姿勢を保ちながら嵌合することができるようになっている。
【００４６】
また、このコネクタ嵌合構造１は、図９に示すように、正規嵌合方向以外の嵌合方向でコネクタ嵌合し、いわゆる、こじり嵌合した場合、雄端子側コネクタハウジング４０の嵌入口４０ａの端面側まで形成したガイドリブ４３がコネクタハウジング２０の侵入を妨げ、コネクタハウジング２０が雄端子３１に接触することを阻止できるようになっている。
【００４７】
本発明の実施例に係るコネクタ１０は、雌端子１１の外周を囲うように突出囲い壁２２を形成しているので、突出囲い壁２２の突出した壁面が隣り合う雌端子１１の間の沿面距離を長くするようになっており、しかも、雌端子収容室２１の間を連結する壁２２ｄに端子間貫通孔２３を形成することによって、隣り合う雌端子収容室２１を連結する壁２２ｄの面積を小さくするとともに、端子間貫通孔２３を通ってリーク電流発生原因となる燃料Ｆがコネクタハウジング２０の外部に排出されるようになっており、雌端子１１間に侵入したリーク電流発生原因となる物質が留まった状態になり難いようになっているので、端子間にリーク電流の発生原因となる物質が侵入した場合であってもリーク電流の発生を確実に防止することができる。
【００４８】
また、本発明の実施例に係るコネクタ１０は、端子間貫通孔２３が孔内に侵入した燃料Ｆを自重によってコネクタハウジング２０の外部に排出する方向に沿って形成しているので、雌端子１１間に侵入したリーク電流発生原因となる物質を自重によってコネクタハウジング２０の外部に容易に排出することができる。
【００４９】
また、本発明の実施例に係るコネクタ１０は、端子間貫通孔２３がコネクタハウジング２０を鉛直方向に貫通しているので、燃料Ｆを自重によって端子間貫通孔２３から確実に排出することができる。
【００５０】
また、本発明の実施例に係るコネクタ嵌合構造１は、コネクタハウジング２０に隣り合う雌端子収容室２１の雌端子１１と雄端子３１とが接続する側の開口２２ａを雌端子１１の外周を囲う突出囲い壁２２によって形成し、しかも、雄端子側コネクタハウジング４０に隣り合う雌端子収容室２１の突出囲い壁２２の間、かつ、突出囲い壁２２の基端２２ｃ位置まで嵌め込まれるように隣り合う雄端子３１の間を仕切る仕切り壁４１を設けているので、突出囲い壁２２の突出した壁面、および、仕切り壁４１の壁面が隣り合う雄雌両端子の間の沿面距離を長くするようになっており、しかも、雌端子収容室２１の間を連結する壁２２ｄに端子間貫通孔２３を形成することによって、隣り合う雌端子収容室２１を連結する壁２２ｄの面積を小さくするとともに、端子間貫通孔２３を通ってリーク電流発生原因となる燃料Ｆがコネクタハウジング２０の外部に排出されるようになっており、雄雌端子間に侵入し燃料Ｆが留まった状態になり難いようになっているので、端子間にリーク電流の発生原因となる物質が侵入した場合であってもリーク電流の発生を確実に防止することができる。
【００５１】
また、本発明の実施例に係るコネクタ嵌合構造１は、一対のガイド溝２６、２６と一対のガイドリブ４３、４３との嵌め合いによるガイド機能によって、コネクタハウジング２０と雄端子側コネクタハウジング４０とを正規の姿勢で嵌合することができ、しかも、一対のガイドリブ４３、４３と仕切り壁４１とを雄端子側コネクタハウジング４０の断面外形一端側から他端側まで連続的に設けるようになっているので、フード状壁４０ｃを含めた雄端子側コネクタハウジング４０全体の強度を高めることができる。
【００５２】
また、本発明の実施例に係るコネクタ嵌合構造１は、コネクタ１０と接続相手コネクタ３０とのコネクタ嵌合状態で、雄端子側コネクタハウジング４０の嵌入口４０ａ側端面の周辺にコネクタハウジング２０の外壁面２０ａに突出部分としての押圧操作部２５があり、押圧操作部２５に燃料Ｆを自重によって排出する方向に誘導する誘導面２５ｃを形成しているので、押圧操作部２５に燃料Ｆが付着したままになることを防ぐことができ、燃料Ｆを燃料タンクに戻すことによって無駄を無くすことができる。
【００５３】
（変形例１）
次に、図１０および図１１を用いて、本発明の実施例に係るコネクタ嵌合構造１の変形例１について説明する。
図１０は、（ａ）が変形例１のコネクタの雌端子１１をコネクタハウジング６０に挿入する前の状態を示した斜視図であり、（ｂ）が（ａ）に示したコネクタハウジング６０の正面図である。図１１は、（ａ）が変形例１のコネクタ嵌合構造２に用いる接続相手コネクタ７０の斜視図であり、（ｂ）が（ａ）に示した接続相手コネクタ７０の正面図である。
この変形例１のコネクタ嵌合構造２は、コネクタハウジング６０が雌端子収容室２１を２つだけ設け、２つの雌端子１１を各雌端子収容室２１に収容し、雄端子側コネクタハウジング８０がコネクタハウジング６０に対応して２つの雄端子３１を保持している点で、実施例のコネクタ嵌合構造１と異なる。
なお、その他の構成は実施例と同様であり、実施例と同一構成部分には同一符号を付している。
【００５４】
この変形例１のコネクタ嵌合構造２は、実施例のコネクタ嵌合構造１と同様に、コネクタハウジング６０に隣り合う雌端子収容室２１の雌端子１１と雄端子３１とが接続する側の開口２２ａを雌端子１１の外周を囲う突出囲い壁２２によって形成し、しかも、雄端子側コネクタハウジング８０に隣り合う雌端子収容室２１の突出囲い壁２２の間、かつ、突出囲い壁２２の基端２２ｃ位置まで嵌め込まれるように隣り合う雄端子３１の間を仕切る仕切り壁４１を設けているので、突出囲い壁２２の突出した壁面、および、仕切り壁４１の壁面が隣り合う雄雌両端子の間の沿面距離を長くするようになっており、しかも、雌端子収容室２１の間を連結する壁２２ｄに端子間貫通孔２３を形成することによって、隣り合う雌端子収容室２１を連結する壁２２ｄの面積を小さくするとともに、端子間貫通孔２３を通ってリーク電流発生原因となる燃料Ｆがコネクタハウジング６０の外部に排出されるようになっており、雄雌端子間に侵入し燃料Ｆが留まった状態になり難いようになっているので、端子間にリーク電流の発生原因となる物質が侵入した場合であってもリーク電流の発生を確実に防止することができる。
【００５５】
（変形例２）
次に、図１２を用いて、本発明の実施例に係るコネクタ嵌合構造１の変形例２について説明する。
図１２は、コネクタ１０と接続相手コネクタ９０とのコネクタ嵌合状態の断面図である。
この変形例２のコネクタ嵌合構造３は、雄端子側コネクタハウジング１００に燃料Ｆを自重によって排出する方向に誘導する誘導面１１０を形成している点で、実施例のコネクタ嵌合構造１と異なる。
なお、その他の構成は実施例と同様であり、実施例と同一構成部分には同一符号を付している。
【００５６】
コネクタ嵌合構造３は、コネクタハウジング２０だけでなく雄端子側コネクタハウジング１００にもリーク電流発生原因となる物質である燃料Ｆを自重によって排出する方向に誘導する誘導面１１０を形成している。
【００５７】
この変形例２のコネクタ嵌合構造３は、実施例のコネクタ嵌合構造１と同様の効果を奏するとともに、コネクタハウジング２０、および、雄端子側コネクタハウジング１００の両方に誘導面２５ｃ、１１０を形成しているので、コネクタハウジング２０の外壁面２０ａに突出した押圧操作部２５に燃料Ｆが付着したままにならずに、誘導面２５ｃ、１１０によって燃料Ｆを燃料タンクにより誘導され易くなる。
【００５８】
なお、本発明の実施例および変形例１、２に係るコネクタ嵌合構造１、２、３は、燃料ポンプの電源接続コネクタに用いるものを例示したが、これに限らず、リーク電流の発生原因となる物質が端子間に侵入し易い環境で使用するコネクタに用いるようにすれば同様の効果を奏することができる。
【００５９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６０】
１、２、３    コネクタ嵌合構造
１０、５０  コネクタ
１１        雌端子
２０、６０  コネクタハウジング
２０ａ      外壁面
２１        雌端子収容室
２１ａ      弾性係止アーム
２２        突出囲い壁
２２ａ      開口
２２ｃ      基端
２２ｄ      壁
２３        端子間貫通孔
２４        弾性係合アーム
２４ａ      弾性アーム
２４ｂ      係合突起
２５        押圧操作部（突出部分）
２５ａ      連結部
２５ｂ      操作部
２５ｃ      誘導面
２６        ガイド溝
３０、７０、９０  接続相手コネクタ
３１        雄端子
４０、８０、１００  雄端子側コネクタハウジング
４０ａ      嵌入口
４０ｂ      雄端子保持壁
４０ｃ      フード状壁
４０ｄ      係合孔
４０ｅ      内壁面
４１        仕切り壁
４３        ガイドリブ
１１０      誘導面
Ｗ          端子付き電線
Ｆ          燃料（リーク電流発生原因となる物質）
【図１】
0006270785.tif 000002
【図２】
0006270785.tif 000003
【図３】
0006270785.tif 000004
【図４】
0006270785.tif 000005
【図５】
0006270785.tif 000006
【図６】
0006270785.tif 000007
【図７】
0006270785.tif 000008
【図８】
0006270785.tif 000009
【図９】
0006270785.tif 000010
【図１０】
0006270785.tif 000011
【図１１】
0006270785.tif 000012
【図１２】
0006270785.tif 000013